(57)【要約】【課題】  記録動作中に予備吐出動作が必要となるシリアルスキャン型のカラーインクジェット記録装置において、記録中の予備吐出動作に関わる時間を極力低減し、高精細な画像も高速に出力可能なインクジェット記録装置およびインクジェット記録方法を提供する。【解決手段】  記録中の予備吐出動作を、記録ヘッドの加速区間あるいは減速区間に設けられた予備吐出口に対して行い、その吐出回数は、各色のノズルが予備吐出口を通過する際の移動速度に応じてインク色ごとに設定する。これにより、狭い幅の予備吐出口であっても、記録ヘッドの走査を停止することなく必要な予備吐出を実行することが出来、記録中の予備吐出に関わる消費時間を極力低減しつつも、比較的小型な構成で高品位の画像を高速に出力することが可能となる。【選択図】  図９
2005343010.tif 000002
【特許請求の範囲】
【請求項１】
記録信号に応じてインクを吐出する複数の記録素子を有する記録素子列を、所定の方向に複数配列した記録ヘッドを用い、該記録ヘッドを前記所定の方向に移動走査しながら前記記録素子よりインクを吐出する記録主走査と、該記録主走査とは交差する方向に記録媒体を所定量搬送する副走査とを交互に繰り返すことによって、前記記録媒体に画像を形成するインクジェット記録装置において、
前記記録主走査中に、前記記録ヘッドが停止状態から所定の速度に達するまでの加速区間と、該所定の速度で移動しつつ前記記録媒体に対しインクを吐出する等速区間と、前記記録ヘッドが前記所定の速度から停止状態に到達するまでの減速区間とを含むように、前記記録ヘッドの移動速度を制御する手段と、
前記加速区間または前記減速区間の少なくとも一方に設けられ、前記記録媒体に形成すべき画像とは無関係な記録信号に基づいて前記記録ヘッドより予備的に吐出されるインク滴を受容するための予備吐出口と、を具備し、
前記予備的に吐出されるインク滴の数は、前記記録素子列が前記予備吐出口を通過する際の移動速度に応じて、前記複数の記録素子列に対応して設定されていることを特徴とするインクジェット記録装置。
【請求項２】
前記予備的に吐出されるインク滴の数は、前記記録素子列が前記予備吐出口を通過する際の移動速度が相対的に小さいほど、相対的に大きな値に設定されていることを特徴とする請求項１に記載のインクジェット記録装置。
【請求項３】
前記予備吐出口は前記加速区間に設けられており、前記予備的に吐出されるインク滴は、前記加速区間で吐出されることを特徴とする請求項１または２に記載のインクジェット記録装置。
【請求項４】
前記予備吐出口は前記減速区間に設けられており、前記予備的に吐出されるインク滴は、前記減速区間で吐出されることを特徴とする請求項１または２に記載のインクジェット記録装置。
【請求項５】
前記複数の記録素子列は互いに異なる色調のインクを吐出することを特徴とする請求項１乃至４のいずれかに記載のインクジェット記録装置。
【請求項６】
前記予備的に吐出されるインク滴は、前記予備吐出口および前記記録媒体に吐出されることを特徴とする請求項１乃至５のいずれかに記載のインクジェット記録装置。
【請求項７】
前記インクジェット記録装置は、前記所定の速度を複数段階に設定可能であり、前記予備的に吐出されるインク滴の数は、前記記録素子列が前記予備吐出口を通過する際の移動速度に応じて、前記複数の記録素子列に対応して設定されていることを特徴とする請求項１乃至６のいずれかに記載のインクジェット記録装置。
【請求項８】
前記予備的に吐出されるインク滴は、前記等速区間の両側に設けられた２つの予備吐出口のいずれに対しても吐出されることを特徴とする請求項１または２に記載のインクジェット記録装置。
【請求項９】
記録信号に応じてインクを吐出する記録素子を、所定の方向に複数のインク色分配列した記録ヘッドを用い、該記録ヘッドを前記所定の方向に移動走査しながら前記記録素子よりインクを吐出する記録主走査と、該記録主走査とは交差する方向に記録媒体を所定量搬送する副走査とを交互に繰り返すことによって、前記記録媒体に画像を形成するインクジェット記録方法において、
前記記録主走査中に、前記記録ヘッドが停止状態から所定の速度に達するまでの加速区間と、該所定の速度で移動しつつ前記記録媒体に対しインクを吐出する等速区間と、前記記録ヘッドが前記所定の速度から停止状態に到達するまでの減速区間とを含むように、前記記録ヘッドの移動速度を制御する工程と、
前記加速区間または前記減速区間の少なくとも一方に設けられた予備吐出口に対し、前記記録媒体に形成すべき画像とは無関係の記録信号に基づいて前記記録ヘッドからインク滴を吐出する予備吐出工程と、を具備し、
前記予備吐出工程において吐出されるインク滴の数は、前記記録素子が前記予備吐出口を通過する際の移動速度に応じて、前記複数のインク色に対応して設定されていることを特徴とするインクジェット記録方法。
【発明の詳細な説明】
【技術分野】
【０００１】
本発明はインクジェット記録装置に関し、特にインクジェット記録ヘッドの予備吐出方法に関するものである。
【背景技術】
【０００２】
単数或いは複数の吐出口よりインク滴を吐出し、これを記録媒体に付与することによって画像を形成するインクジェット記録装置は、比較的小型で低コストに実現できることから、近年急速に普及している。インクジェット記録装置においては、微細に形成された記録素子（ノズル）に定常的にインクが供給された状態で、記録信号に応じてノズルの端部に位置する吐出口からインクが吐出される。このような構成上、インクがある程度吐出口から蒸発することは避けられない。特に、非記録時間が長かったり、使用環境が高温や低湿度であったりすると、蒸発に伴って粘度が増したインクが増粘インクとなり、吐出口近傍に固着してしまう場合もある。このような状態で記録を継続すると、インク滴が正規の方向に吐出されなかったり、記録の開始直後のみ染料濃度の高いインクが吐出されたりして、記録媒体においては白スジや濃度ムラのような画像弊害が引き起こされる。
【０００３】
そこで、記録ヘッドの非記録時間が所定値以上になった場合や、非記録時間が所定値以上になったノズルが確認された場合などにおいては、記録ヘッドの吐出状態を良好に維持するための予備吐出動作を行うことが一般となっている。予備吐出動作とは、記録とは無関係の吐出を所定回数行う動作であり、これについての詳細は、例えば特許文献１などによって開示されている。
【０００４】
予備吐出動作によって吐出されるインク滴は、記録装置内に設置されたインク受容部（以下、予備吐出口と称す）に収容されたり、上記吸引動作時や待機時に吐出口面をキャッピングするキャップに向かって吐出されたりすることが一般である。但し、記録中に画像上問題とならない程度に、紙面上に予備吐出を行う方法も提案されている（例えば特許文献２参照）。
【０００５】
予備吐出動作を実行するタイミングは様々である。上述のように、非記録時間が所定量以上になった場合以外にも、記録画像のページ頭やページ間、また、全ての記録走査の直前または直後に行われる場合もある。更に、インクジェット記録装置においては、インク滴が付着した記録ヘッドの吐出口面を一掃するワイピング動作や、吐出口内のインクを強制的に吸引する吸引動作も、良好な吐出状態を維持するために行われている。そして、このような動作の後にも、異なるインク色を吐出する吐出口間での混色を防止する等の目的のために、予備吐出動作は行われている。
【０００６】
【特許文献１】特開平６−１２６９８２号公報
【特許文献２】特開昭５５−１３９２６９号公報
【発明の開示】
【発明が解決しようとする課題】
【０００７】
ところで、近年のインクジェット記録装置に対しては、更に高解像な画像を更に高速に記録することへの要求が高まっている。これに応えるために、記録ヘッドにおいては、各吐出口から吐出されるインクを少量化し、適用するインク色や記録素子数すなわち吐出口の数を増大化させようとする傾向にある。このような状況においては、吐出口からのインクの蒸発も促進され、吐出状態への影響も大きくなりがちになる。よって、近年のインクジェット記録装置においては、従来に比べ、記録動作中の予備吐出動作が、より頻繁なタイミングで必要になって来ていると言える。
【０００８】
しかしながら、記録動作中に予備吐出動作を頻繁に行うことは、記録ヘッドをインク受容部やキャップのような予備吐出位置まで移動させ、予備吐出のために停止させる回数が増加するので、記録速度の低下を招くことになる。また、多くのインク色を吐出する記録ヘッドに対しては、インク受容部も記録ヘッドの幅すなわちインク色の数に応じて増幅した状態で記録領域外に用意されなければならず、記録装置自体が大型化される原因にもなる。
【０００９】
これに対し、特許文献２に記載されているように、記録中の記録媒体上で十分な紙面予備吐出が実行できれば、上記問題は緩和される。しかし、ブラックインクのように濃度の高いインクの場合には、画像品位を劣化させないために、紙面上への予備吐出が殆ど許容されない場合も少なくない。よって、近年のインクジェット記録装置では、特に画像品位を重視する記録モードにおいて、予備吐出のために費やされる記録時間が多大なものとなってしまっていた。
【００１０】
本発明は上記問題点を解決するためになされたものであり、その目的とするところは、記録動作中に予備吐出動作が必要となるシリアルスキャン型のインクジェット記録装置において、記録中の予備吐出動作に関わる時間を極力低減し、高精細な画像も高速に出力可能なインクジェット記録装置およびインクジェット記録方法を提供することである。
【課題を解決するための手段】
【００１１】
そのために本発明においては、記録信号に応じてインクを吐出する複数の記録素子を有する記録素子列を、所定の方向に複数配列した記録ヘッドを用い、該記録ヘッドを前記所定の方向に移動走査しながら前記記録素子よりインクを吐出する記録主走査と、該記録主走査とは交差する方向に記録媒体を所定量搬送する副走査とを交互に繰り返すことによって、前記記録媒体に画像を形成するインクジェット記録装置において、前記記録主走査中に、前記記録ヘッドが停止状態から所定の速度に達するまでの加速区間と、該所定の速度で移動しつつ前記記録媒体に対しインクを吐出する等速区間と、前記記録ヘッドが前記所定の速度から停止状態に到達するまでの減速区間とを含むように、前記記録ヘッドの移動速度を制御する手段と、前記加速区間または前記減速区間の少なくとも一方に設けられ、前記記録媒体に形成すべき画像とは無関係な記録信号に基づいて前記記録ヘッドより予備的に吐出されるインク滴を受容するための予備吐出口と、を具備し、前記予備的に吐出されるインク滴の数は、前記記録素子列が前記予備吐出口を通過する際の移動速度に応じて、前記複数の記録素子列に対応して設定されていることを特徴とする。
【００１２】
また、記録信号に応じてインクを吐出する記録素子を、所定の方向に複数のインク色分配列した記録ヘッドを用い、該記録ヘッドを前記所定の方向に移動走査しながら前記記録素子よりインクを吐出する記録主走査と、該記録主走査とは交差する方向に記録媒体を所定量搬送する副走査とを交互に繰り返すことによって、前記記録媒体に画像を形成するインクジェット記録方法において、前記記録主走査中に、前記記録ヘッドが停止状態から所定の速度に達するまでの加速区間と、該所定の速度で移動しつつ前記記録媒体に対しインクを吐出する等速区間と、前記記録ヘッドが前記所定の速度から停止状態に到達するまでの減速区間とを含むように、前記記録ヘッドの移動速度を制御する工程と、前記加速区間または前記減速区間の少なくとも一方に設けられた予備吐出口に対し、前記記録媒体に形成すべき画像とは無関係の記録信号に基づいて前記記録ヘッドからインク滴を吐出する予備吐出工程と、を具備し、前記予備吐出工程において吐出されるインク滴の数は、前記記録素子が前記予備吐出口を通過する際の移動速度に応じて、前記複数のインク色に対応して設定されていることを特徴とする。
【発明の効果】
【００１３】
本発明によれば、狭い幅の予備吐出口であっても、記録ヘッドの走査を停止することなく必要な予備吐出を実行することが出来るので、記録中の予備吐出に関わる消費時間を極力低減しつつも、比較的小型な構成で高品位の画像を高速に出力することが可能となる。
【発明を実施するための最良の形態】
【００１４】
以下に、本発明の実施形態を詳細に説明する。
【００１５】
図１は、本実施形態に適用可能なインクジェット記録装置の内部構成を説明するための概観斜視図である。本実施形態で適用する記録装置は、シリアルスキャン型のカラーインクジェット記録装置である。シリアルスキャン型の記録装置では、記録ヘッドを搭載したキャリッジが移動走査しながら記録ヘッドよりインクを吐出する記録主走査と、当該記録主走査とは交差する方向に記録媒体を搬送する副走査とを、交互に繰り返しながら記録媒体に順次画像を形成していく。
【００１６】
記録が開始されると、まず給紙モータ５が駆動され、ギヤを介して回転する給紙ローラ６によって、記録媒体が給紙トレイ９より１枚給紙される。複数色分の記録ヘッドを搭載したキャリッジユニット２（以下、単にキャリッジとも言う）は、キャリッジモータ３の駆動によって、図のｘ方向に移動走査する。この時、記録ヘッドは画像信号に応じたタイミングでインクの吐出を行い、記録媒体上に１バンド分の画像を形成する。１バンド分の画像が形成されると、不図示の搬送モータによって記録媒体がｙ方向に所定量搬送され、さらに次のバンド幅に対して、記録ヘッドによる記録走査が実行される。
【００１７】
本実施形態ではキャリッジモータ３からキャリッジユニット２へ駆動力を伝達する手段として、キャリッジベルト４を用いている。但し、キャリッジベルトの代わりにリードスクリュー等他の駆動方法を用いても本実施形態は有効である。給紙された記録媒体は給紙ローラ６と圧力ローラ７の間を通って、記録ヘッドによる記録が可能な位置に導かれる。
【００１８】
図においてキャリッジユニット２が位置している箇所は、キャリッジユニット２のホームポジションである。記録が行われていないとき、ホームポジションの下部に配設されている不図示のキャップ手段は、記録ヘッドの吐出口面に対してキャッピングを行っている。記録が開始されると、キャップ手段は記録ヘッドを開放し、これによりキャリッジユニット２はｘ方向への移動走査が可能となる。
【００１９】
以下に、本実施形態の記録装置で適用可能なインクについて説明する。
【００２０】
本発明および本実施形態のインクに用いられる水溶性有機溶剤としては、公知のインクに使用されているものであれば、概ね使用することが出来る。具体的には、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；ジメチルホルムアミド、ジメチルアセトアミド等のアミド類；アセトン、ジアセトンアルコール等のケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン付加重合体；エチレングリコール、プロピレングリコール、トリメチレングリコール、ブチレングリコール、１，２，６−ヘキサントリオール、ヘキシレングリコール等のアルキレン基が２〜６個の炭素原子を含むアルキレングリコール類；チオジグリコール；グリセリン；エチレングリコールモノメチル（又はエチル）エーテル、ジエチレングリコールモノメチル（又はエチル）エーテル、トリエチレングリコールモノメチル（又はエチル）エーテル等の多価アルコールの低級アルキルエーテル類；トリエチレングリコールジメチル（又はエチル）エーテル、テトラエチレングリコールジメチル（又はエチル）エーテル等の多価アルコールの低級ジアルキルエーテル類；スルホラン、Ｎ−メチル−２−ピロリドン、１，３−ジメチル−２−イミダゾリジノン等が挙げられる。
【００２１】
上記の様な水溶性有機溶剤の含有量は、一般にはインクの全重量に対して重量％で１〜４９％、好ましくは２〜３０％の範囲である。又、上記の如き水溶性有機溶剤は、単独でも混合物としても使用出来るが、媒体を併有する場合の最も好ましい液媒体組成は、少なくとも１種の水溶性高沸点有機溶剤、例えば、ジエチレングリコール、トリエチレングリコール、グリセリン等の多価アルコールを含有するものである。また、記録品位を向上させることを目的として、必要に応じて硝酸マグネシウム、硝酸カルシウム、硝酸バリウム等、金属塩を使用することも可能である。
【００２２】
図２は本実施形態に適用可能なインクジェット記録装置の制御系の構成を説明するためのブロック図である。図２において、１０１はプログラマブル・ベリフェラルインターフェイス（以下ＰＰＩとする）である。ＰＰＩ１０１は、不図示のホストコンピュータから入力される指令信号（コマンド）や記録情報信号を受信し、これをＭＰＵ１０２に転送する。また、コンソール１０６の制御や、キャリッジユニット２がホームポジションにあるか否かを検出するホームポジションセンサ１０７からの信号の受信も行っている。
【００２３】
ＭＰＵ（マイクロプロセッシングユニット）１０２は、制御用ＲＯＭ１０５に記憶された制御プログラムに従って、インクジェット記録装置内の各部を制御する。１０３はＲＡＭであり、受信した信号を貯えたり、ＭＰＵ１０２のワークエリアとして使用されたりと、各種データを一時的に記憶するために使用されている。１０４はフォント発生用ＲＯＭである。フォント発生用ＲＯＭ１０４には、コード情報に対応した文字や記録等のパターン情報が記憶されており、入力されたコード情報に対応して各種パターン情報を出力する。１２１はプリントバッファであり、フォント用発生ＲＯＭ１０４等により展開されたデータを記憶するための所定行分の容量を有している。
【００２４】
以上示した各ブロックは、アドレスバス１１７およびデータバス１１８を介することによって、ＭＰＵ１０２により制御されている。
【００２５】
キャリッジモータ３は、記録ヘッド１１２を搭載したキャリッジ２を往復方向に移動走査させている。１１０は、紙等の記録媒体を副走査方向に搬送するための搬送モータである。１１３は、キャップ手段を駆動し、記録ヘッド１１２のインク吐出口に当接させてキャッピングを行うキャッピングモータである。キャッピングモータ１１３によるキャッピングにより、インク吐出口は外気より遮断され、ノズルの乾燥は極力抑制されることができる。更にキャッピングモータ１１３の駆動により、キャップ手段の近傍に配設されたワイパーも動作され、記録ヘッドの吐出口面に付着したインクなどを拭き取る等の動作を行うことも出来る。１１４、１１５、１１６および１１９は、それぞれキャッピングモータ１１３、キャリッジモータ３、給紙モータ５および搬送モータ１１０を駆動するためのモータドライバである。
【００２６】
本実施形態の、コンソール１０６には、キーボードスイッチ及び表示ランプなどが設けられている。また、ホームポジションセンサ１０７は、キャリッジ２のホームポジション近傍に設けられており、記録ヘッド１１２を搭載したキャリッジ２がホームポジションに到達したことを検知してＭＰＵに情報を伝える。
【００２７】
１０９は記録部に設置されたシートセンサであり、記録媒体の有無を検出することにより、記録媒体が記録部まで正常に給紙されたか否かを判断する。
【００２８】
１１２は記録ヘッドである。本実施形態の記録ヘッドは、発生した熱エネルギを用いてインクに膜沸騰による状態変化を生起させ、発泡に応じた量のインク滴を吐出する方式のものである。記録ヘッド１１２には、複数個の吐出口と、各吐出口に対応した数の吐出用ヒータなどが設けられている。記録ヘッドについての詳細は、図を用いて後述する。
【００２９】
１１１は画像信号に応じて記録ヘッド１１２の吐出用ヒータを駆動するためのヘッドドライバである。１２０は上述した各部へ電源を供給するための電源部であり、駆動電源装置としてＡＣアダプタと電池を有している。
【００３０】
図１および図２には示されていないが、キャリッジ２には、記録ヘッド１１２とともに各色のインクを収容した複数のインクタンクを搭載することが可能となっている。インクタンクとしてはＰＰ、ＰＥ等の樹脂により、インジェクション・ブロー等により成型され、その後、超音波溶着、熱溶着、接着、勘合などの技術を用いて組み立てが行われたものを適用することが出来る。インクタンクの内部は、外装がそのままインクチャンバーとして機能する形式のものや内部にインクを充填した袋を持つもの、また内部に多孔質体挿入してインク保持をさせ同時に負圧を発生させるもの等の形態を採ることができる。負圧発生機構をタンク内部に持たせる場合には、タンク内部の袋部分を袋内部または外部に設けられたばね機構等によって拡大方向に支持することによって負圧を発生させることもできる。
【００３１】
記録が開始されると、キャップ手段は記録ヘッドを開放し、これによりキャリッジユニット２はｘ方向への移動走査が可能となる。１回の記録走査分の画像データがプリントバッファ１２１に蓄積されると、キャッリッジモータ３はキャリッジ２の移動走査を開始する。
【００３２】
本実施形態の記録装置においては、キャップ手段から開放され、実際にインクの吐出が開始されるまでの間に、記録前の予備吐出が実行される。通常、この予備吐出は一律の吐出発数に従って行われるか、もしくは非記録時間によって決められた発数に従って行われる。また、インクの色別に発数が設定されている場合もある。
【００３３】
記録動作が開始されると、必要に応じて記録中にも予備吐出が実行される。シリアルスキャン型の場合には、各記録走査の間のタイミングで行われるのが一般である。このときの予備吐出は、全てのノズルについて行っても良いが、前回までの記録走査で使用されなかったノズルや、使用頻度が少なかったノズルに対してのみ行うようにしてもよい。また、使用した頻度に基づいて予備吐出の回数を調整するような機構が設けられていても良い。
【００３４】
記録前や記録中の予備吐出については、予備吐出口までキャリッジを移動させて行うのが一般である。予備吐出口が全記録ヘッドに対応出来る幅を有している場合には、キャリッジが予備吐出口の位置に停止した状態で、全記録ヘッドによる予備吐出を一括して完了させることが出来る。但しこの場合には、先にも述べたように、幅広な予備吐出口を用意せねばならず、記録装置自体が大型化してしまう。よって本実施形態においては、１色分の記録ヘッドに対応可能な予備吐出口を備え、記録ヘッドが各色のノズル列の位置で、各色に対する予備吐出を順次実行可能な構成とする。
【００３５】
図３は、本実施形態で適用する記録ヘッド１１２の外観図である。図において、１５は、ブラックインクを吐出するための吐出口、１６はシアンインクのための吐出口、１７はマゼンタインクのための吐出口、および１８はイエローインクのための吐出口となっている。各色の吐出口は、１cmあたり約４９０個の配列密度で、１２８０個ずつ各色のオリフィスプレート１１〜１４上に形成されている。
【００３６】
２３は、インク供給口である。吐出や吸引などによって吐出口からインクが消費されても、インク供給口２３が各色のインクタンクと連結していることにより、吐出口までインクを供給することができる。
【００３７】
図４は、記録ヘッド１１２の内部構造を説明するための、図３で示すＡ−Ａ’、Ｂ−Ｂ’におけるブラックヘッドの断面図である。インク供給口２３より供給されたインクは、
第１のインク液室２４内をＨ方向へと進む。第１のインク液室２４がある程度充填されると、インクはＪ方向へと進み、フィルター２５を通過した後に、第２のインク液室２６およびオリフィスプレートに形成された複数の吐出口１５に供給される。インク流路にフィルター２５を設けることにより、混入したゴミ等を、微細なノズルに混入させない様にすることが出来る。なお、吐出口１５の配列する面の位置は、オリフィスプレート１１の中でも、ＴＡＢ面３０に対し、一段凹んだ位置に形成されている。これは、各吐出口と記録媒体との接触を極力回避するためである。
【００３８】
図５は、オリフィスプレート上の吐出口の１つを示す拡大図である。各吐出口はオリフィスプレート３１上に形成された円形状の穴となっている。
【００３９】
図６は、図５で示した１つの吐出口に対応する１つの記録素子の内部構造を説明するための拡大図である。ヒータ３３は、吐出口の数と配列に応じた状態で、ヒータボード上に形成されている。液室形成部材３４およびオリフィスプレート３１が、各ヒータと各吐出口とが連通する様に、ヒータボード３２上に重ねられることにより、ヒータ３３から吐出口１５までのインク流路（ノズル）が複数形成されている。本実施形態で適用するインクジェット記録ヘッドは、発生した熱エネルギを用いてインクに膜沸騰による状態変化を生起させ、発泡に応じた量のインク滴を吐出する方式のものである。すなわち、画像信号に応じて、ヒータ３３に所定のパルスが印加されると、ヒータ３３は急激に発熱し、これに接するインク内に発泡が起こる。発生した気泡の膨張により、ノズル内のインクはオリフィスプレートから所定量押し出される。更に、押し出されたインク滴は、空気との界面張力によって球状の液滴となって飛翔し、記録媒体に着弾されることによって記録が行われる。
【００４０】
図７は、記録ヘッド１１２のフェイス面に対するワイピング機構を示した図である。図において、２０はブラックノズル用のワイパー、２１はシアン、マゼンタおよびイエローに対応するカラーノズル用のワイパーを示している。ブラックノズル用のワイパー２０は、図３で示したブラックのオリフィスプレート１１の幅よりも若干狭く形成されている。これは、ＴＡＢ面より凹んだ位置に形成されている吐出口に対し、ワイパーが入り込んで確実に払拭するための構成である。同様の理由から、カラーノズル用のワイパー２１も、カラーの３つのオリフィスプレートの幅よりも若干狭く形成されている。また、ワイパー２２は、ＴＡＢ面を含む記録ヘッドフェイス面全体に付着したインクを取り除くための全面ワイパーである。ワイパー２０、２１および２２は、ワイパー固定金具によって、本体内に設置された不図示のワイパーホルダーに取り付けられている。記録ヘッドに対するワイパーの位置あわせは、ワイパー２０、２１および２２に設けられた開孔、およびワイパーホルダーに設けられたピンとの勘合によって行われる。ワイパー２０、２１および２２は、キャッピングモータ１１３によって駆動され、記録ヘッド１１２のフェイス面に対し、図３および図７に示したＧ方向に移動し、吐出口部およびフェイス面全体を払拭する。ワイピング動作が終了すると、記録ヘッド１１２が搭載されたキャリッジ２はワイピング領域の外に退避し、ワイパー２０、２１および２２は、ワイピング時と逆方向に駆動されて、ワイピング開始時のポジションに戻される。
【００４１】
本実施形態においては、各ページの記録終了時に、ワイピング動作の実行を判断する工程を設け、実行すると判断された場合のみ上述したようなワイピング動作を行う構成とした。実行するか否かの判断は、記録装置本体内に設けられたドットカウンタによって、ページ内への記録における吐出回数をカウントし、カウント値が所定の閾値以上の場合にワイピングを実行すると判断するものとした。但し、このような構成および方法は本発明を限定するものではない。例えば、本実施形態で適用可能な記録媒体としてはＡ４サイズ程度としているが、記録領域が更に大きいプロッターや大判プリンタの場合には、各記録走査後にワイピングを実行するか否かの判断を行うようにしてもよい。また、ヘッドフェイス面に付着するインクの量は、吐出回数のみでなく、記録デューティ（記録密度）によっても影響を受けることが知られている。よって、ドットカウンタによるカウント値のみでなく、記録中の記録デューティも加味して判断を行ってもよい。
【００４２】
以下に、本実施形態の最も特徴的な構成である、予備吐出について説明する。
【００４３】
図８は、本実施形態の記録ヘッドに対する、記録領域、予備吐出口、およびホームポジションの位置関係を説明するための模式図である。記録を行っていないとき、記録ヘッド１１２はホームポジション８１にてキャッピングされた状態で待機している。
【００４４】
記録の開始コマンドが入力されると、まず記録ヘッド１１２がキャップ手段から開放され、記録ヘッドは記録領域まで移動する。この際、予備吐出口を通過するタイミングで、記録前の予備吐出が実行される。また、記録動作が開始されると、必要に応じて記録中にも予備吐出が実行される。本実施形態のようなシリアルスキャン型の場合には、各記録走査の間のタイミングで行われるのが一般である。このときの予備吐出は、全てのノズルについて行っても良いが、前回までの記録走査で使用されなかったノズルや、使用頻度が少なかったノズルに対してのみ行うようにしてもよい。また、使用した頻度に基づいて予備吐出の回数を調整するような機構が設けられていても良い。
【００４５】
図のような狭い幅の予備吐出口に対して行われる予備吐出では、記録ヘッドを予備吐出口に対して一時的に複数回停止させつつ、色ごとに順次予備吐出を行うのが一般となっている。これに対し、本実施形態においては、記録ヘッドを停止させない状態で予備吐出を行う。記録領域８３においては、画像品位の点から、記録ヘッドは等速運動にて記録を行う。よって、記録ヘッド１１２がホームポジション８１に停止した状態から、記録領域に到達するまでの間は、キャリッジ２は徐々に加速していく状態となっている。また、特にホームポジション８１まで到達しない記録中においても、記録ヘッド１１２を載せたキャリッジ２は、その走査方向を切り替えるために走査速度の減速、停止、および向きを変えての加速を行う。
【００４６】
図９は、このような加速および減速を行いつつ記録領域では等速で移動する記録ヘッドにおいて、各色の吐出口の位置と、その位置における移動速度を説明するための図である。図において、９０１はブラックノズル、９０２はシアンノズル、９０３はマゼンタノズル、および９０４はイエローノズルの移動速度をそれぞれ示している。記録領域８３においては、全てのノズルが一定の速度を保っているが、その両側の位置では加速および減速のために、移動速度が増減していることが分かる。本発明においては、このような加減速時に予備吐出を行うことを特徴としている。
【００４７】
図にも示すように、記録ヘッド１１２には各色のオリフィスプレートが、進行方向に順に並列している。このような構成においては、記録ヘッド１１２が予備吐出口８２を通過する際の移動速度が各色で異なっており、これに準じて、予備吐出口８２に対してインクを打ち込み可能な時間も、各色で異なることになる。例えば、図において最も右に位置するブラックの吐出口１５は、加速を開始して、最も早いタイミングで予備吐出口８２の位置に到達する。従って、他色に比べて最もキャリッジ速度の遅い状態で予備吐出口８２を通過するため、予備吐出口８２に対し比較的多数の予備吐出を行うことが出来る。すなわち、本実施形態のように、ホームポジション側からの加速時に予備吐出を行う構成においては、各色の吐出口が予備吐出口８２を通過する際の速度は、ブラック（９０１）＜シアン（９０２）＜マゼンタ（９０３）＜イエロー（９０４）の順となり、予備吐出可能な時間は、これとは逆のイエロー＜マゼンタ＜シアン＜ブラックの順となる。
【００４８】
図１０は、上記状態を考慮した上で設定した、本実施形態の予備吐出の回数を示した図である。ここでは、記録開始時および記録中における、１回の予備吐出で１つのノズルが吐出する回数を示している。図からもわかるように、各色の予備吐出回数は、各色の予備吐出可能な時間に対応してイエロー（４発）＜マゼンタ（６発）＜シアン（８発）＜ブラック（１０発）となっている。
【００４９】
このように、記録ヘッドの加速中に予備吐出を行うことは、従来のように記録ヘッドごとに一時的に停止させつつ予備吐出を行う構成に比べて、記録時間全体を短縮することができる。特に、吐出量が少なくノズル数が多い記録ヘッドを適用する場合には、毎回の記録走査のタイミングで予備吐出が必要になる場合が多いので、１回の予備吐出にかかる時間自体は少なくとも、累積される効果は多大なものとなる。また、記録ヘッドを停止することなく予備吐出が行えるにもかかわらず、予備吐出口自体は、１色分の幅を有していればよいので、記録装置も比較的小型の状態で構成することが出来る。
【００５０】
なお、予備吐出の必要性は、適用するインクの含有成分などによって異なってくる。本実施形態においては、ブラック＞シアン＞マゼンタ＞イエローの順に予備吐出数を設定したが、予備吐出数を多く必要とするインク色をより右側に配置することにより、本発明をより効果的に実現することが出来る。
【００５１】
また、本実施形態においては、ホームポジション側からの加速中に予備吐出を行う構成としたが、キャリッジ２が減速しながらホームポジション側に戻る最中に予備吐出を行ってもよい。この場合であっても、予備吐出口８２を通過する際の各色のオリフィスプレートの速度の関係は、ブラック＜シアン＜マゼンタ＜イエローとなっており、図１０で示した予備吐出数を採用することが出来る。
【００５２】
以上説明したように本実施形態によれば、記録ヘッドが予備吐出口を通過する際の、各色の通過速度を考慮した条件で予備吐出数を設定することにより、記録時間を極力増大させない状態で、記録中の予備吐出を効率的に実施することが可能となった。
【００５３】
次に、本発明の第２の実施形態を説明する。本実施形態は、第１の実施形態で採用した予備吐出に加えて、記録媒体上に対する予備吐出、いわゆる紙面予備吐を併用する構成とする。本実施形態においても、図１〜図９で説明した記録装置の構成は第１の実施形態と同様とする。
【００５４】
本実施形態で採用する紙面予備吐とは、背景の技術の項でも説明したように、画像を形成する記録媒体上に目立たない程度の予備吐出（記録）を実行するものである。記録媒体上での視認性は、インクの色によって異なることから、本実施形態においては、色ごとに吐出回数（吐出密度）を異なる範囲で設定する。
【００５５】
図１１は、本実施形態の記録装置における、紙面予備吐の吐出密度および予備吐出口への予備吐出の回数を、色ごとに示した図である。ここでは、１つのノズルが、１回の記録走査で行う紙面予備吐の発数および予備吐出口への発数をそれぞれ示している。本実施形態において、明度が最も低く記録媒体上で最も視認しやすいブラックインクは、紙面予備吐を行わない構成としている。また、ブラックよりも徐々に明度の高くなる順、すなわちシアン、マゼンタ、イエローの順に、紙面予備吐の発数を多く設定している。これに対し、予備吐出口へ向けての発数は、第１の実施形態と同様に、各色が予備吐出口を通過する時間に対応して、イエロー（２発）＜マゼンタ（３発）＜シアン（４発）＜ブラック（５発）としている。
【００５６】
既に説明したが、全ての予備吐出が紙面予備吐だけで賄うことが出来れば、記録速度は最も短縮され得ることが予想される。しかしながら、上述した視認性の問題からも、画像品位を保って行く上で紙面予備吐のみでは対応が困難な場合が多い。本実施形態においては、このように紙面予備吐だけでは予備吐出として不足な分を、予備吐出口への予備吐出で補う構成としている。この場合、図１１にも示したように、予備吐出口８２への発数は第１の実施形態に比べて少なく設定することが出来る。よって、より速い速度で予備吐出口を通過させても十分となる場合には、キャリッジ速度や加速度を更に上昇させて記録時間を更に短縮させることも可能となる。
【００５７】
また、本実施形態においては、記録媒体上で相対的に視認性の高いインクを、予備吐出口への吐出数を多く設定できる右側に配置することにより、本発明をより効果的に実現することが出来る。
【００５８】
更に本実施形態においても、第１の実施形態と同様に、キャリッジ２が減速しながらホームポジション側に戻る最中に予備吐出口への予備吐出を行ってもよい。この場合であっても、予備吐出口８２を通過する際の各色のオリフィスプレートの速度の関係は、ブラック＜シアン＜マゼンタ＜イエローとなっており、図１１で示した予備吐出数を採用することが出来る。
【００５９】
以上説明したように本実施形態によれば、記録ヘッドが予備吐出口を通過する際の、各色の通過速度を考慮した条件で予備吐出数を設定することと、記録媒体上への紙面予備吐を併用することにより、記録時間を極力増大させない状態で、記録中の予備吐出を効率的に実施することが可能となった。
【００６０】
以下に本発明の第３の実施形態を説明する。本実施形態は、第１の実施形態で採用した予備吐出の構成を適用しつつも、複数の記録モードに応じて、キャリッジの移動速度および予備吐出数を可変に設定するものである。本実施形態においても、図１〜図８で説明した記録装置の構成は上述した実施形態と同様とする。
【００６１】
図１２は、本実施形態における各色の吐出口の位置と、その位置での移動速度を説明するための図である。図において、１２０１〜１２０４は、低速記録モードでの移動速度を示しており、１２０１はブラックノズル、１２０２はシアンノズル、１２０３はマゼンタノズル、および１２０４はイエローノズルの移動速度をそれぞれ示している。また、１２０５〜１２０８は、高速記録モードでの移動速度を示しており、１２０５はブラックノズル、１２０６はシアンノズル、１２０７はマゼンタノズル、および１２０８はイエローノズルの移動速度をそれぞれ示している。記録領域８３においては、低速記録モードでは速度１、高速記録モードでは速度２の状態で、全てのノズルが一定の移動速度を保っている。両側の位置では、どちらのモードでも加速度および減速度（グラフの傾き）は同じであるが、目標の一定速度に到達するために、加速を開始する位置および減速が終了する位置が異なっており、１２０５〜１２０８で示す高速モードの方が、より広い領域を走査する構成となっている。本実施形態においては、このような加減速時の速度の違いに応じた予備吐出を行うことを特徴としている。
【００６２】
本実施形態のように、記録モードによってキャリッジの移動速度が異なる場合、速度に応じて必要な予備吐出数も異なる。移動速度が遅いモードでは、移動速度が速いモードに比べて、予備吐出口８３を通過する時間間隔が長くなるので、その間のインクの蒸発、増粘が促進されてノズルが吐出不良となる恐れも増大する。よって、各記録走査単位で必要となる予備吐出の発数もより多く設定されることが望まれる。
【００６３】
図１３は、本実施形態の低速記録モードおよび高速記録モードにおける、予備吐出口８２への予備吐出数を示した図である。低速記録モードにおいては、第１の実施形態と同様に、イエロー（４発）＜マゼンタ（６発）＜シアン（８発）＜ブラック（１０発）となっている。これに対し、高速記録モードでは、図１２にも示したように、予備吐出口を通過する際の速度が、低速記録モードの場合よりも高い状態で通過するので、イエロー（２発）＜マゼンタ（３発）＜シアン（４発）＜ブラック（５発）となっている。本実施形態においては高速記録モードにおいても第２の実施形態のような紙面予備吐は行っていないが、キャリッジの移動速度が高速な分、記録ヘッドが予備吐出口へ予備吐出を行う間隔も短くなるので、各ノズルにおけるインクの蒸発や増粘の度合いも緩和され、必要な予備吐出の回数も低減される。
【００６４】
以上説明したように、本実施形態によれば、記録ヘッドが予備吐出口を通過する際の、各色の通過速度を考慮した条件で、互いにキャリッジ速度の異なる複数の記録モードに対応した予備吐出数を設定することにより、各記録モードに適応しつつも、記録時間を極力増大させない状態で、記録中の予備吐出を効率的に実施することが可能となった。
【００６５】
以下に、本発明の第４の実施形態を説明する。本実施形態は、第１の実施形態で採用した予備吐出口を記録領域の両側に配置させた構成を適用する。本実施形態においても、図１〜図７で説明した記録装置の構成は上述した実施形態と同様とする。
【００６６】
図１４は、本実施形態で適用する記録装置の、記録領域と予備吐出口の位置関係を説明するための図である。ここでは、記録領域の幅が上述した実施形態よりも大幅なものとなっている。また、記録領域１４０３の両側には、予備吐出口Ａ１４０２および予備吐出口Ｂ１４０４が配備されている。本実施形態のように大型な記録装置の場合、特に記録時間が大幅に増大するのを抑えるために、双方向の走査で記録が行われることが多い。しかしながら、記録ヘッド１４０５が１回記録走査する間のみで、各ノズルからは予備吐出が要される程度の蒸発が起こることもしばしばである。よって本実施形態においては、記録領域の両側に予備吐出口Ａ１４０２およびＢ１４０４を配置することによって、どちらの方向の記録走査であっても予備吐出が行われる構成としている。
【００６７】
図１５は、本実施形態における各色の吐出口の位置と、その位置での移動速度を説明するための図である。図において、１５０１はブラックノズル、１５０２はシアンノズル、１５０３はマゼンタノズル、および１５０４はイエローノズルの移動速度をそれぞれ示している。
【００６８】
本実施形態においても、上記実施形態と同様に、記録ヘッド１４０５が予備吐出口を通過する際の移動速度が各色で異なっている。但し、この速度は予備吐出口Ａ１４０２とＢ１４０４では、互いに逆転している。例えば、記録ヘッド１４０５が図の左側から右側に移動走査する場合、記録ヘッド１４０５上で最も右に位置するブラックの吐出口は、加速を開始して最も早いタイミングで予備吐出口Ａ１４０２に到達する。従って、他色に比べて最もキャリッジ速度の遅い状態で予備吐出口Ａ１４０２を通過する。しかしながら、記録ヘッド１４０５が図の右側から左側に移動走査する場合、ブラックの吐出口は、加速を開始して今度は最も遅いタイミングで予備吐出口Ｂ１４０４に到達する。すなわち、本実施形態においては、各色の吐出口が予備吐出口Ａ１４０２を左から通過する際の速度は、ブラック＜シアン＜マゼンタ＜イエローの順となるが、各色の吐出口が予備吐出口Ｂ１４０４を右から通過する際の速度は、イエロー＜マゼンタ＜シアン＜ブラックの順となる。
【００６９】
図１６は、上記状態を考慮した上で設定した、２つの予備吐出口ＡおよびＢに対する予備吐出の回数を示した図である。図からもわかるように、各色の予備吐出回数は、各色の予備吐出可能な時間に対応しおり、２つの予備吐出口ＡおよびＢにおいては、互いの値が逆転している。このような構成は、記録時間を短縮させるのみでなく、各色の予備吐出量を、ほぼ均一に保つことが出来る。
【００７０】
以上説明したように本実施形態によれば、大型の記録装置で双方向記録を行う場合であっても、記録ヘッドの加速中に記録領域の両側で予備吐出を行う構成を有することにより、記録時間全体を極力短縮することが可能となる。
【００７１】
なお、本実施形態においても、各記録走査の加速中に予備吐出を行う構成としたが、キャリッジが減速する最中に予備吐出を行ってもよい。この場合であっても、各予備吐出口を通過する際の各色のオリフィスプレートの速度の関係は保たれており、図１６で示した予備吐出数を採用することが出来る。
【００７２】
なお、以上の実施形態においては、シアン、マゼンタ、ブラックおよびイエローの４色のインクを吐出する記録ヘッドを用いて説明を行ったが、本発明はこのような形態に限定されるものではない。記録ヘッドの進行方向に並列した複数の吐出口列（記録素子列）を有する記録ヘッドを用いた構成であれば、本発明は有効となる。この場合、各記録素子列から吐出されるインクの種類は、なんら限定されるものではない。上記４色の他、例えばマゼンタとライトマゼンタや、シアンとライトシアンのように色相が同様で濃度の異なるインクを用意していてもよい。また、レッド、ブルー、グリーンのように、上記インク色とは異なる色相を有するインクを同時に適用してもよい。更に、記録素子列の配列がシアン、マゼンタ、イエロー、マゼンタ、シアンのように、複数の記録素子列に同一の色調のインク含む形態であっても、記録素子列の位置によって定められた予備吐出の発数に従うという本発明の構成、およびここから得られる効果は何ら変わらない。
【図面の簡単な説明】
【００７３】
【図１】本発明の実施形態に適用可能なインクジェット記録装置の内部構成を説明するための概観斜視図である。
【図２】本発明の実施形態に適用可能なインクジェット記録装置の制御系の構成を説明するためのブロック図である。
【図３】本発明の実施形態で適用する記録ヘッドの外観図である。
【図４】記録ヘッドの内部構造を説明するための断面図である。
【図５】オリフィスプレート上の吐出口の１つを示す拡大図である。
【図６】１つの吐出口に対応する１つの記録素子の内部構造を説明するための拡大図である。
【図７】記録ヘッドのフェイス面に対するワイピング機構を示した図である。
【図８】本発明の第１の実施形態の記録ヘッドに対する、記録領域、予備吐出口、およびホームポジションの位置関係を説明するための模式図である。
【図９】各色の吐出口の位置と、その位置における移動速度を説明するための図である。
【図１０】本発明の第１の実施形態の予備吐出の回数を示した図である。
【図１１】本発明の第２の実施形態における、紙面予備吐の吐出密度および予備吐出口への予備吐出の回数を、色ごとに示した図である。
【図１２】本発明の第３の実施形態における各色の吐出口の位置と、その位置での移動速度を説明するための図である。
【図１３】本発明の第３の実施形態における低速記録モードおよび高速記録モードの、予備吐出口８２への予備吐出数を示した図である。
【図１４】本発明の第４の実施形態で適用する記録装置の、記録領域と予備吐出口の位置関係を説明するための図である。
【図１５】本発明の第４の実施形態における、各色の吐出口の位置と、その位置での移動速度を説明するための図である。
【図１６】本発明の第４の実施形態における、２つの予備吐出口ＡおよびＢに対する予備吐出の回数を示した図である。
【符号の説明】
【００７４】
１１    ブラックオリフィスプレート
１２    シアンオリフィスプレート
１３    マゼンタオリフィスプレート
１４    イエローオリフィスプレート
１５    ブラック吐出口
１６    シアン吐出口
１７    マゼンタ吐出口
１８    イエロー吐出口
８２    予備吐出口
８３    記録領域
９０１    ブラックノズル移動速度
９０２    シアンノズル移動速度
９０３    マゼンタノズル移動速度
９０４    イエローノズル移動速度
１２０１    ブラックノズル移動速度
１２０２    シアンノズル移動速度
１２０３    マゼンタノズル移動速度
１２０４    イエローノズル移動速度
１２０５    ブラックノズル移動速度
１２０６    シアンノズル移動速度
１２０７    マゼンタノズル移動速度
１２０８    イエローノズル移動速度
１４０１    ホームポジション
１４０２    予備吐出口Ａ
１４０３    記録領域
１４０４    予備吐出口Ｂ
１４０５    記録ヘッド
１５０１    ブラックノズル移動速度
１５０２    シアンノズル移動速度
１５０３    マゼンタノズル移動速度
１５０４    イエローノズル移動速度
【図１】
2005343010.tif 000003
【図２】
2005343010.tif 000004
【図３】
2005343010.tif 000005
【図４】
2005343010.tif 000006
【図５】
2005343010.tif 000007
【図６】
2005343010.tif 000008
【図７】
2005343010.tif 000009
【図８】
2005343010.tif 000010
【図９】
2005343010.tif 000011
【図１０】
2005343010.tif 000012
【図１１】
2005343010.tif 000013
【図１２】
2005343010.tif 000014
【図１３】
2005343010.tif 000015
【図１４】
2005343010.tif 000016
【図１５】
2005343010.tif 000017
【図１６】
2005343010.tif 000018